(57)【要約】【課題】  コストを抑制しつつ、表示を切り換えることができ、見栄えに変化を付けることができる可変表示構造を提供すること。【解決手段】  出力する光の波長が異なる第１光源３及び第２光源４と、第１光源３の波長のみを反射させる第１印刷部分１０aと、第２光源４の波長のみを反射させる第２印刷部分１０ｂと、第１光源３の波長と第２光源４の波長を反射しない背景印刷部分１０ｄと、第１光源３及び第２光源４の光を抑制して輝度及び色度を調整し、どちらの波長も反射する調光印刷部１０ｃとを備えた。【選択図】        図３
2006285053.tif 000002
【特許請求の範囲】
【請求項１】
出力する光の波長が異なる第１光源及び第２光源と、
第１光源の波長のみを反射させる第１印刷部分と、
第２光源の波長のみを反射させる第２印刷部分と、
第１光源の波長と第２光源の波長を反射しない第３印刷部分と、
第１光源及び第２光源の光を抑制して輝度及び色度を調整し、どちらの波長も反射する調光印刷部と、
を備え、
重複部分を有する第１表示と第２表示を光源の切り換えにより表示させる、
ことを特徴とする可変表示構造。
【請求項２】
請求項１に記載の可変表示構造において、
印刷部分を同一面上に施して、同一面上で表示の切り換えを行うようにした、
ことを特徴とする可変表示構造。
【請求項３】
請求項１又は請求項２に記載の可変表示構造において、
第１表示の重複のない部分を第１印刷部分で構成し、
第２表示の重複のない部分を第２印刷部分で構成し、
第１表示と第２表示の重複部分を調光印刷部分で構成し、
第１表示と第２表示の背景部分を第３印刷部分で構成し、
第１光源を点灯させると第１表示を行い、第２光源を点灯させると第２表示を行う、
ことを特徴とする可変表示構造。
【請求項４】
請求項１又は請求項２に記載の可変表示構造において、
第１表示の重複のない部分を第２印刷部分で構成し、
第２表示の重複のない部分を第１印刷部分で構成し、
第１表示と第２表示の重複部分を第３印刷部分で構成し、
第１表示と第２表示の背景部分を調光印刷部分で構成し、
第１光源を点灯させると第１表示を行い、第２光源を点灯させると第２表示を行う、
ことを特徴とする可変表示構造。
【請求項５】
請求項１〜請求項４のいずれか１項に記載の可変表示構造において、
反射する光を変化させる加飾印刷を設けた、
ことを特徴とする可変表示構造。
【請求項６】
請求項５に記載の可変表示構造において、
前記加飾印刷は、
複数の印刷部分の表示に関する特性にかかわらず、表示より細かい面積で多数が第１光源及び第２光源の光を反射するものである、
ことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来においては、第１波長領域の青色光を通過させる第１領域、第２波長領域の緑色光を通過させる第２領域、背景を形成するその他の領域を箔シート後面にプリント印刷し、後方から、青色光の第１光源と緑色光の第２光源で照明している（例えば、特許文献１参照。）。
【特許文献１】特開２００１−１００６７９号公報（第２−８頁、全図）
【発明の開示】
【発明が解決しようとする課題】
【０００３】
しかしながら、従来にあっては、光源の光を透過させる構造であるため、光が透過可能な印刷シートを使用しなければならず、コストの抑制が充分でなかった。また、見栄えに変化を付けることが困難であった。
【０００４】
本発明は、上記問題点に着目してなされたもので、その目的とするところは、コストを抑制しつつ、表示を切り換えることができ、見栄えに変化を付けることができる可変表示構造を提供することにある。
【課題を解決するための手段】
【０００５】
上記目的を達成するため、本発明では、出力する光の波長が異なる第１光源及び第２光源と、第１光源の波長のみを反射させる第１印刷部分と、第２光源の波長のみを反射させる第２印刷部分と、第１光源の波長と第２光源の波長を反射しない第３印刷部分と、第１光源及び第２光源の光を抑制して輝度及び色度を調整し、どちらの波長も反射する調光印刷部と、を備え、重複部分を有する第１表示と第２表示を光源の切り換えにより表示させる、ことを特徴とする。
【発明の効果】
【０００６】
よって、本発明にあっては、コストを抑制しつつ、表示の切り換えを行うことができ、表示品質を向上させることができる。
【発明を実施するための最良の形態】
【０００７】
以下、本発明の可変表示構造を実現する実施の形態を、実施例に基づいて説明する。
【実施例１】
【０００８】
まず、構成を説明する。
図１は実施例１の可変表示構造を示す断面図である。図２は実施例１の可変表示構造のシートの正面図である。図３は図２のＡ−Ａ断面図である。図４は実施例１の可変表示構造の第１表示と第２表示を示す説明図である。図５は実施例１の可変表示構造の各印刷部分と各光源の波長との関係を示す説明図である。
【０００９】
本実施例１では、可変表示構造をスイッチ１に用いた例を説明する。
スイッチ１は、まず、矩形枠状のスイッチフィニッシャ２の内部に矩形枠状のガイドハウジング７を設ける。
ガイドハウジング７には、矩形枠状のスイッチフィニッシャ２の開口面から開口面へ向かう方向、つまり、前後面に摺動可能なレール部分を設ける。
スイッチフィニッシャ２及びガイドハウジング７の背面側には、開口を塞ぐ板状の基板６を設ける。
基板６の前面側、つまりスイッチフィニッシャ２の内部側には、波長が約６００mmをピークとする第１光源３と、波長が５００nmをピークとする第２光源４、押されることによりON/OFFの操作入力を行うタクトスイッチ５を設ける。
【００１０】
第１光源３及び第２光源４としては、異なる光を発光する一体型LEDがコスト抑制、メンテナンス性から望ましいが、別体であってもよい。
さらに、基板６上に設けた、第１光源３及び第２光源４の発する光をスモークレンズ１１側方向へ伝導し、スモークレンズ側から印刷シート１０へ照射するガイドライト９をそれぞれ設ける。このガイドライト９は、スライダ８の平面部分を貫通するように設ける。
次に内外で２重の枠部分を有するスライダ８を設ける。スライダ８の内部には、平面部を有する形状にする。
さらに、スライダ８の内側の平面部分の下面には、下方に突出する形状の係合部８ａを設ける。係合部８ａの位置は、下方に移動するとタクトスイッチ５と係合する位置にする。
スライダ８の内側枠部分の前面部分には、印刷シート１０を設ける。
印刷シートの前面部分には、消灯時に外光によって印刷パターンが見えてしまうのを防ぐために全体的に透光性が低くされたスモークレンズ１１を設ける。
【００１１】
ここで、スモークレンズ１１、印刷シート１０を取り付けたスライダ８を、ガイドハウジング７のレール部分に係合させて前後に摺動自在にする。
これにより、スライダ８をタクトスイッチ５に向かって押すと、スライダ８が摺動し、スライダ８の係合部８ａがタクトスイッチ５を押す構造にする。
また、押された後に、自由状態にすると、タクトスイッチ５の反力で戻る構造にする。
【００１２】
印刷シート１０は、前面に、第１印刷部分１０ａ、第２印刷部分１０ｂ、調光印刷部分１０ｃ、背景印刷部分１０ｄ（第３印刷部分に相当する）を設ける。
ここで、図４(a)に示すように文字の「Ａ」を第１表示１２、図４(b)に示すように文字の「Ｅ」を第２表示１３とする。
第１印刷部分１０ａは、第１表示１２である「Ａ」の第２表示１３「Ｅ」と重ならない図２の部分であり、赤色光を反射させる赤い色の印刷である。この第１印刷部分１０ａの波長に対する反射効率の特性は、図５の線２１で示す特性となる。
【００１３】
第２印刷部分１０ｂは、第２表示１３である「Ｅ」の第１表示１２「Ａ」と重ならない図２の部分であり、青色光を反射させる青い色の印刷である。この第２印刷部分１０ｂの波長に対する反射効率の特性は、図５の線２２で示す特性となる。
調光印刷部分１０ｃは、第１表示１２の「Ａ」と第２表示１３の「Ｅ」とが重なった部分であり、赤色光と青色光のどちらも反射させる印刷である。例として紫色を挙げておく。この調光印刷部分１０ｃの波長に対する反射効率の特性は、図５の線２３で示す特性となる。この特性によって、輝度と色の調整が成される。
背景印刷部分１０ｄは、第１表示１２の「Ａ」及び第２表示１３の「Ｅ」以外の背景部分であり、赤色光と青色光のどちらも反射しない印刷である。例として黒色を挙げておく。この背景印刷部分１０ｄの波長に対する反射効率の特性は、図５の線２６で示す特性となる。
【００１４】
次に作用を説明する。
[表示作用]
(a)第１表示
実施例１において、第１表示１２を表示させるには、第１光源３を点灯させ、第２光源を消灯する。
第１光源３の赤色光は、ガイドライト９で伝達され、印刷シート１０に照射される。
すると、第１印刷部分１０ａでは、図５において、赤色光の特性を示す線２４に対し、線２１の特性であるので、赤色光を強く反射する。
次に、調光印刷部分１０ｃでは、図５において、赤色光の特性を示す線２４に対し、その近傍において、線２１に近似した特性となっており、赤色光を強く反射する。色は、赤色光とまったく同じではないが近似した色となる。
【００１５】
これに対し、第２印刷部分１０ｂ、背景印刷部分１０ｄでは、図５に示すように赤色光を反射しない。
これにより、第１表示１２、つまり図４(a)に示す「Ａ」が表示されることになる。
【００１６】
(b)第２表示
実施例１において、第２表示１３を表示させるには、第２光源４を点灯させ、第１光源３を消灯する。
第２光源の青色光は、ガイドライト９で伝達され、印刷シート１０に照射される。
すると、第２印刷部分１０ｂでは、図５において、青色光の特性を示す線２５に対し、線２２の特性であるので、青色光を強く反射する。
次に、調光印刷部分１０ｃでは、図５において、青色光の特性を示す線２５に対し、その近傍において、線２２に近似した特性となっており、青色光を強く反射する。色は、青色光とまったく同じではないが近似した色となる。
【００１７】
これに対し、第１印刷部分１０ａ、背景印刷部分１０ｄでは、図５に示すように青色光を反射しない。
これにより、第２表示１３つまり、図４(b)に示す「Ｅ」が表示されることになる。
【００１８】
[スイッチ作用]
実施例１では、操作する人がスモークレンズ１１を押すと、一体化したスライダ８が摺動し、スライダ８の一部（符号８ａ）がタクトスイッチ５を押す。
スイッチ１としては、基板６に設けられる図示しない回路によって、どちらの表示状態において、タクトスイッチ５に入力があったかを判断し、２つの操作入力として使用する。これにより、１つのスイッチにおいて、異なるモードでの操作入力が可能となる。
【００１９】
[コストの抑制作用]
実施例１では、印刷シート１０の前面に各印刷を施すことにより、第１表示１２と第２表示１３を行うことができる。そのため、透光性のあるシートやインクを用いることがない。よって、コストを抑制して２つの表示の切り換えを行うことができる。
【００２０】
[表示品質の向上作用]
実施例１では、光を透過させるのではなく、反射させるため、加飾印刷を行い、その作用により表示品質を向上させることが可能となる。加飾印刷の例を図６に示す。加飾印刷として、メタリック調、パール調、ホログラム調を挙げておく。これらの加飾印刷は、光の反射に変化を持たせたものであり、光を透過させる従来の構造ではなし得ないものである。この加飾印刷により、同一位置における表示の切り換えを行いつつ、表示品質を向上させることができるのである。
なお、加飾印刷は、全面において、つまり黒色のような表示のためには反射をしない部分であっても反射を行うものである。例えば、多数ちりばめた細かい部分が光源色に関わらず複数方向に反射するもので、見栄えの質感を向上させる。
【００２１】
次に効果を説明する。実施例１の可変表示構造にあっては、下記に列挙する効果を得ることができる。
【００２２】
(1)出力する光の波長が異なる第１光源３及び第２光源４と、第１光源３の波長のみを反射させる第１印刷部分１０aと、第２光源４の波長のみを反射させる第２印刷部分１０ｂと、第１光源３の波長と第２光源４の波長を反射しない背景印刷部分１０ｄと、第１光源３及び第２光源４の光を抑制して輝度及び色度を調整し、どちらの波長も反射する調光印刷部１０ｃとを備え、重複部分を有する第１表示１２と第２表示１３を光源の切り換えにより表示させるため、コストを抑制しつつ、表示を切り換えることができ、表示品質を向上させることができる。
さらに、印刷部分が反射で表示を行うことにより、印刷を施す部分、例えばシート等の被印刷部材は、材質の自由度を非常に増すことができる。
【００２３】
(2)印刷部分を同一面上に施して、同一面上で表示の切り換えを行うようにしたため、通常の印刷のように行う１面への印刷で、場所を増やすことなく、表示の切り換えを行うことができる。
【００２４】
(3)第１表示１２の重複のない部分を第１印刷部分１０ａで構成し、第２表示１３の重複のない部分を第２印刷部分１０ｂで構成し、第１表示１２と第２表示１３の重複部分を調光印刷部分１０ｃで構成し、第１表示１２と第２表示１３の背景部分を背景印刷部分１０ｄで構成し、第１光源３を点灯させると第１表示１２を行い、第２光源４を点灯させると第２表示１３を行うため、４色の印刷を行うことで、背景を含めて、同一面上の同位置で、コストを抑制しつつ、２つの表示を切り換えることができ、表示品質を向上させることができる。
【００２５】
(5)反射する光を変化させる加飾印刷を設けたため、さらに、表示品質を向上させることができる。
(6)加飾印刷は、複数の印刷部分の表示に関する特性にかかわらず、表示より細かい面積で多数が第１光源及び第２光源の光を反射するものであるため、表示内容に関わらず、全体的な反射で見た目の質感を向上させ、表示品質を向上させることができる。
【実施例２】
【００２６】
実施例２は、表示する側よりその背景を明るくした例である。
図７は、実施例２の可変表示構造のシートの正面図である。
印刷シート１０は、実施例１に対して背景印刷部分を設けず、黒色印刷部分１０ｅを設ける。実施例２では、実施例１に対し、各印刷部分による構成が異なる。以下、構成を説明する。
【００２７】
第１印刷部分１０ａは、第２表示１３である「Ｅ」の第１表示１２である「Ａ」と重ならない図７の部分である。
第２印刷部分１０ｂは、第１表示１２である「Ａ」の第２表示１３である「Ｅ」と重ならない図７の部分である。
調光印刷部分１０ｃは、第１表示１２の「Ａ」及び第２表示１３の「Ｅ」と重ならない、背景となる部分である。
黒色印刷部分１０ｅは、第１表示１２の「Ａ」と第２表示１３の「Ｅ」の重複部分である。この黒色印刷部分１０ｅの特性は、図５の線２６で示す特性である。
他の特性は実施例１と同様であるので、説明を省略する。
【００２８】
次に作用を説明する。
[表示作用]
(a)第１表示
実施例２において、第１表示１２を表示させるには、第１光源３を点灯させる。
すると、第２表示１３である「Ｅ」の第１表示１２と重ならない部分、つまり第１印刷部分１０ａが赤色光を反射する。また、第１表示１２の背景となる調光印刷部分１０ｃが赤色光に近似した光を反射する。
これに対し、第１表示１２である「Ａ」を構成する第２印刷部分１０ｂと黒色印刷部分１０ｅは、赤色光を反射せず、黒く見えることになる。
これによって、黒い色で第１表示１２を表示する。
【００２９】
(b)第２表示
実施例２において、第２表示１３を表示させるには、第２光源４を点灯させる。
すると、第１表示１２である「Ａ」の第２表示１３と重ならない部分、つまり、第２印刷部分１０ｂが青色光を反射する。また、第２表示の背景となる調光印刷部分１０ｃが青色光に近似した光を反射する。
これに対し、第２表示１３である「Ｅ」を構成する第１印刷部分１０ａと黒色印刷部分１０ｅは、青色光を反射せず、黒く見えることになる。
これによって、黒い色で第２表示１３を表示する。
【００３０】
効果を説明する。実施例３の可変表示構造にあっては、上記(1),(2)に加えて、以下の効果を有する。
(4)第１表示１２の重複のない部分を第２印刷部分１０ｂで構成し、第２表示１３の重複のない部分を第１印刷部分１０ａで構成し、第１表示１２と第２表示１３の重複部分を黒色印刷部分１０ｅで構成し、第１表示１２と第２表示１３の背景部分を調光印刷部分１０ｃで構成し、第１光源３を点灯させると第１表示１２を行い、第２光源４を点灯させると第２表示１３を行うため、黒い色で、切り換えて表示を行いつつ、コストを抑制し、表示品質を向上させることができる。
【００３１】
以上、本発明の可変表示構造を実施例１、実施例２に基づき説明してきたが、具体的な構成については、これらの実施例に限られるものではなく、特許請求の範囲の各請求項に係る発明の要旨を逸脱しない限り、設計の変更や追加等は許容される。
第１表示、第２表示の色は他の色であってもよい。
第１印刷部分、第２印刷部分、背景印刷部分、調光印刷部分、黒色印刷部分のシートへの印刷は、シルク印刷、凸版印刷、インクジェット印刷、熱転写印刷があり、いずれの印刷によるものでもよい。また、他の印刷によるものであってもよい。
【００３２】
実施例１，２では、光源の光をガイドライトで伝導して、各印刷部分に照射したが、光源が直接、各印刷部分を照らすよう配置するものであってもよい。
【図面の簡単な説明】
【００３３】
【図１】実施例１の可変表示構造を示す断面図である。
【図２】実施例１の可変表示構造のシートの正面図である。
【図３】図２のＡ−Ａ断面図である。
【図４】実施例１の可変表示構造の第１表示と第２表示を示す説明図である。
【図５】実施例１の可変表示構造の各印刷部分と各光源の波長との関係を示す説明図である。
【図６】実施例１の可変表示構造の加飾印刷の例を示す説明図である。
【図７】実施例２の可変表示構造のシートの正面図である。
【符号の説明】
【００３４】
１  スイッチ
２  スイッチフィニッシャ
３  第１光源
４  第２光源
５  タクトスイッチ
６  基板
７  ガイドハウジング
８  スライダ
８ａ  係合部
９  ガイドライト
１０  印刷シート
１０ａ  第１印刷部分
１０ｂ  第２印刷部分
１０ｃ  調光印刷部分
１０ｄ  背景印刷部分
１０ｅ  黒色印刷部分
１１  スモークレンズ
１２  第１表示
１３第２表示
【図１】
2006285053.tif 000003
【図２】
2006285053.tif 000004
【図３】
2006285053.tif 000005
【図４】
2006285053.tif 000006
【図５】
2006285053.tif 000007
【図７】
2006285053.tif 000008
【図６】
2006285053.tif 000009